(57)【要約】本発明の目的は、風力発電設備の基礎の構造的工学技術に関して重要な要素、すなわち基礎の支持・水平安定要素をプレハブ製造することである。
2006526095.tif 000002
【特許請求の範囲】
【請求項１】
風力発電設備用の基礎(１)であって、
基礎(１)の必須の荷重支持ならびに水平安定要素(１０,２０)がプレハブ製造されることを特徴とする基礎。
【請求項２】
基礎ベース要素(２０)と、
少なくとも二つの基礎足モジュール(１０)と、を具備してなり、
前記基礎足モジュール(１０)は前記基礎ベース要素(２０)に固定されるよう構成されてなり、かつ
前記基礎ベース要素(２０)および少なくとも二つの前記基礎足モジュール(１０)はプレハブ要素を体現することを特徴とする請求項１に記載の基礎。
【請求項３】
少なくとも二つの基礎足モジュール(１０)を具備してなり、
前記基礎足モジュール(１０)は互いに固定されるよう構成されてなると共にプレハブ要素を体現することを特徴とする請求項１に記載の基礎。
【請求項４】
前記基礎ベース要素(２０)は中空円筒形状のものであり、かつ前記基礎足モジュール(１０)は前記基礎ベース要素(２０)の対称軸線に関して放射状に配置されることを特徴とする請求項１または請求項２に記載の基礎。
【請求項５】
前記基礎ベースモジュール(１０)のそれぞれは足プレート(１１)および足サポート要素(１２)を有し、これらはそれぞれ前記基礎ベース要素(２０)の対称軸線に関して放射状に配置されてなり、かつ
前記足サポート要素(１２)は前記足プレート(１１)に対して直交するよう配置されてなると共に、固定状態にある前記足プレート(１１)は前記基礎ベース要素(１０)の対称軸線に対して実質的に直交するよう配置されてなることを特徴とする請求項４に記載の基礎。
【請求項６】
前記足サポート要素(１２)の高さ(１２ａ)は半径方向外側に向かって減少することを特徴とする請求項５に記載の基礎。
【請求項７】
前記足プレート(１１)の幅(１１ｃ)は半径方向外側に向かって増大することを特徴とする請求項５または請求項６に記載の基礎。
【請求項８】
前記足モジュール(１０)は、固定手段を受けるための半径方向に配置された貫通孔(１４,１５)を有し、かつ
前記足ベース要素(１０)は、前記足モジュール(１０)の前記貫通孔(１４,１５)に適合させられた貫通孔を有することを特徴とする請求項５ないし請求項７のいずれか１項に記載の基礎。
【請求項９】
前記足プレート(１１)および／または前記足サポート要素(１２)はさらに、輸送中、縛着ストラップを受けるのに適した貫通孔を有することを特徴とする請求項１ないし請求項８のいずれか１項に記載の基礎。
【請求項１０】
前記基礎ベース要素(２０)および少なくとも二つの前記基礎足モジュール(１０)は、鉄筋コンクリートからプレハブ製造されることを特徴とする請求項１ないし請求項９のいずれか１項に記載の基礎。
【請求項１１】
前記基礎足モジュール(１０)はベース要素部(２０ａ)を有し、このベース要素部(２０ａ)は、前記足プレート(１１)の一端部(１１ａ)に、前記足プレート(１１)に対して直交するよう配置されてなることを特徴とする請求項３に記載の基礎。
【請求項１２】
請求項１ないし請求項９のいずれか１項に記載の基礎を具備してなる風力発電設備。
【発明の詳細な説明】
【技術分野】
【０００１】
本発明は、風力発電設備用の基礎およびそうした種類の基礎を有する風力発電設備に関する。
【背景技術】
【０００２】
風力発電設備においては、基礎およびその寸法は非常に大きな意味を持つ。なぜなら、その種の風力発電設備は非常に重く、非常に大きな荷重を受けるからである。
【０００３】
これまで風力発電設備用の基礎は、本質的に、穴を掘り、砂利補助基層を敷設し、基礎設置要素を組み立て、必要な補強作業を行い、そして掘削穴にセメントを打設することによって構築されてきた。ここで、セメントはセメントローダーによって必要な場所まで運ばれ、掘削穴に注入される。基礎設置要素はたいてい中空円筒構造であり、概してプレハブ製造され、ユニットとしてそれぞれの組立場所まで運ばれる。
【０００４】
この件に関する最新技術としては、とりわけ特許文献１〜８が挙げられる。
【０００５】
掘削穴への必要なコンクリートの打設は、特に悪天候のもとでは問題がないわけではない。一方、対照的に、基礎用の穴を掘る作業は、ほとんどいかなる天候条件のもとでも行うことができる。仕上がった硬化コンクリートの品質は天候条件に著しく依存する。
【特許文献１】DE 40 37 438 C2
【特許文献２】DE 33 36 665 A1
【特許文献３】DE 76 37 601 U
【特許文献４】FR 1 015 719
【特許文献５】US 4 714 255 A
【特許文献６】EP 1 074 663 A1
【特許文献７】WO 94/26986 A1
【特許文献８】WO 00/46452 A1
【発明の開示】
【発明が解決しようとする課題】
【０００６】
それゆえ本発明の目的は風力発電設備用の基礎を提供することであり、その品質は構築時の卓越天候条件に実質的に関係なく保証される。
【課題を解決するための手段】
【０００７】
この目的は、請求項１で言及された風力発電設備用の基礎によって達成される。
【０００８】
この点に関して、本発明は、風力発電設備の基礎の構造的工学技術に関して重要な要素をまず製造するという発想に基づくものである。
【０００９】
上記種類の要素を工場内で、正確に定められた温度および空気湿り度条件のもとで製造できる限り、これは特に好都合であり、しかも最終製品の品質を実質的に向上させる。さらに、必要な品質コントロールは既に工場内で実施可能であり、もはやそれを現場で、個々の構築場所において実施する必要はない。さらに、それらが量産ベースで製造される場合、基礎の要素は工場でさらに効率よく、しかもより低コストで製造できる。
【００１０】
本発明の形態によれば、基礎は基礎ベース要素２０と少なくとも二つの基礎足モジュール１０とを有し、足モジュールはベース要素に固定可能であり、しかもベース要素２０と少なくとも二つの足モジュール１０はプレハブ要素を体現する。基礎はもはや一体品ではなく複数の要素からなるという事実によって、これらの要素を別個に輸送しかつ現場に設置できる。この場合、工場での製造によって達成された品質は悪影響を受けない。基礎の要素はそれほどの寸法ではないから、個々の要素のみの輸送は本質的に容易である。
【００１１】
本発明のさらなる形態では、基礎ベース要素は中空円筒形状のものであり、しかも基礎足モジュール１０は基礎ベース要素の対称軸線に関して放射状に配置される。足モジュールの放射状配置は基礎の必要な静止状態を保証する。なぜなら足モジュールは必要に応じてベース要素の周りに設置できるからである。さらに足モジュールは、適当な固定手段によってベース要素の空隙内に固定できる。
【００１２】
本発明の特に好ましい形態では、足モジュールは個々の足プレートおよび足サポート要素を有し、これらはそれぞれベース要素の対称軸線に関して放射状に配置される。この場合、足サポート要素は足プレートと直交し、一方、固定状態にある足プレートはベース要素の対称軸線と実質的に直交するよう配置される。風力発電設備に作用する静的力は、足プレートおよびサポート要素によって支持地盤に良好に伝達される。
【００１３】
本発明のさらなる形態では、サポート要素の高さは半径方向外側に向かって減少する。サポート要素の外側に向うこの先細りはまた、静止状態の改善に役立つ。
【００１４】
本発明のさらなる形態では、足プレートの幅は半径方向外側に向かって増大し、これもまた静止状態の改善に役立つ。
【００１５】
本発明のさらなる形態では、サポート要素および足プレートの両方は、半径方向に配置された貫通孔を有する。ベース要素は対応する貫通孔を有し、これによって足モジュールをベース要素に対して、たとえば適当な固定手段によって、上記貫通孔を用いて固定できる。
【００１６】
本発明のさらなる形態では、足プレートおよび／またはサポート要素はさらなる貫通孔を有し、この貫通孔の直径は、足モジュールを確実に固定するために、輸送中、縛着ストラップがそれを挿通できるようなものである。
【００１７】
本発明の特に好ましい形態では、ベース要素および足モジュールは鉄筋コンクリートからなる。
【発明を実施するための最良の形態】
【００１８】
以下、図面を参照して、本発明をさらに詳しく説明する。
【００１９】
図１は本発明の第１実施形態による基礎の斜視図である。この例では、基礎１は実質的に中空円筒形ベース要素２０と複数の足モジュール１０とを具備してなり、足モジュール１０はベース要素２０の縦軸線すなわち対称軸線に関して放射状(半径方向)に配置され、その外面周りに均等に割り当てられている。
【００２０】
図２ａは図１の基礎の平面図である。中空円筒形ベース要素２０の外面周りには複数の孔２１が配置されている。この孔は固定要素を受けるのに役立つよう意図されたものであり、この固定要素によって風力発電設備のパイロンを基礎１に固定できる。足モジュール１０は足プレート１１とサポート要素１２とを具備してなる。多数の足モジュール１０はそれぞれが３６°の間隔で互いに離間しており、これによって１０個の足要素をベース要素２０の周りに固定できる。それ以上あるいはそれ以下の数の足モジュールを、必要な静止条件を保証するためベース要素２０の周りに配置できる、ということを理解されたい。
【００２１】
図２ｂは図１の基礎の側面図である。この例では、足モジュール１０の足プレート１１は、一つの平面内に、中空円筒形ベース要素２０の対称軸線と直交するよう配置される。サポート要素１２はまた、足プレート１１と直交するように、かつベース要素２０の対称軸線に対して放射状に配置されており、しかもサポート要素１２は足プレート１１上に中央に位置するよう配置されている。ベース要素２０は、孔２１が設けられる上端部分よりも厚みの大きな下側部分２２を有する。
【００２２】
図２ｃは図２ｂの線Ａ−Ａに沿って取った断面図である。この例では、足プレート１１の厚みは実質的に一定であり、一方、サポート要素１２の高さは外側に向かって減少している。サポート要素１２には、個々の半径方向に配置された貫通孔１４が設けられる。足プレート１１には二つの貫通孔１５が設けられ、この貫通孔１５もまた対称軸線に関して放射状に配置される。これら貫通孔１４および１５によって、この例では、足モジュール１０をたとえば固定手段によってベース要素２０に対して取り付けることができるようになる。
【００２３】
図４ａないし図４ｅは、図２ａからの足モジュール１０を示す図である。この点に関し図４ａは、足プレート１１およびそれに垂直に配置されたサポート要素１２を備えた足モジュール１０の斜視図である。この構造では、足プレートは内面１１ａおよび外面１１ｂを有する。足モジュール１０は、足プレート１１の内面１１ａを用いてベース要素２０に対して取り付けられる。
【００２４】
図４ｂは図４ａの足モジュール１０の平面図である。足プレート１１の幅１１ｃは外側に向かって減少する。さらに、足プレートの内面１１ａおよび外面１１ｂの両方は湾曲形状となっている。この例では、足プレート１１の内面１１ａの湾曲は、ベース要素２０の外面湾曲に適合しており、この結果、足モジュール１０はベースモジュール２０に対してロック状態で固定可能である。
【００２５】
図４ｃは図４ａの足モジュール１０の側面図であり、これは足モジュール１０の外面を示している。特に、この例では、足プレート１１の外面１１ｂおよびサポート１２の外面１２ｂおよび足プレート１１の二つの貫通孔１５が図示されている。
【００２６】
図４ｄは図４ａの足モジュール１０の側面図である。この例では、サポート要素１２の高さ１２ｃは、サポート要素１２の内面１２ａからその外面１２ｂに向かって減少する。さらに同図は、サポート要素１２の貫通孔１４および足プレート１１の貫通孔１５を示している。
【００２７】
図４ｅは足モジュール１０の、ベース要素２０の方を向く面を示している。この例ではまた、同図は、サポート要素１２の貫通孔１４および足プレート１１の貫通孔１５を示している。
【００２８】
５ｍを超える可能性のある足モジュール１０のサイズのために、そうした足モジュールの輸送は解決すべきさらなる問題を提起する。図５ａおよび図５ｂは複数の足モジュール１０のための輸送形態を示す。この例では、いくつかの足モジュールが、一方が他方の上に載った状態で、さらに詳しく言うと、二つの足モジュール１０のサポート要素１２が相互に向き合う関係となるように積み重ねられている。たとえば、このようにして四つの足モジュール１０がパレット１００の上に載置されている。足モジュール１０は、サポート要素１２が中央に配置されているために、相互に変位した位置関係でそれぞれ積み重ねられている。
【００２９】
そうした足モジュールの輸送を安全なものとするため、足モジュール１０は選択的に、さらなる貫通孔を備えてもよい。この例では、この貫通孔は、足モジュール１０を確実に固定できるよう市販の縛着ストラップがそれを挿通可能であるような形状のものであるべきである。そうした貫通孔の配備は、足モジュール１０の製造に重大な問題を提起しない。なぜなら、この孔は工場で簡単に形成でき、あるいは適当な鋳造モジュールを設けることができるからである。足モジュール１０の静力学は、そうした貫通孔によって悪影響を受けない。
【００３０】
選択的に、いくつかの足プレート１１の下方に、あるいは足モジュール１０とベース要素２０との間に、基礎の正確な水平配置を保証するために調整要素を備えることができる。
【００３１】
風力発電設備の基礎１のベース要素２０の輸送は既に長い間、公知であり、それは本出願の主題ではない。
【００３２】
本発明の図示された実施形態による風力発電設備の基礎のモジュール構造によって、ベース要素２０と足モジュール１０の両方を工場で予め製造し、その後、構築現場まで輸送することが可能である。この工場でのプレハブ製造によって、風力発電設備用の基礎が均一な品質のものとなることが保証される。さらに風力発電設備の基礎は、ほとんどあらゆる天候条件のもとで設置できる。この目的のために、最新技術から公知であるように、まず穴が掘られ、そしておそらく砂利補助基層が敷設される。続いてベース要素２０が設置され、そして足モジュール１０が適当な固定手段によってベース要素２０に固定される。基礎はその後、補強可能であり、続いて掘削穴にコンクリートを充填できる。この点に関してコンクリートの品質はあまり重要ではない。なぜなら、基礎の静的に重要な要素、すなわちベース要素および足モジュールはプレハブ製造されているからである。
【００３３】
図６は第２実施形態による完成基礎の斜視図である。第１実施形態による基礎とは対照的に、第２実施形態の基礎は、その周りに複数の足モジュールが配置される中空円筒形ベース要素を持たない。むしろ各足モジュールはベース要素のセグメント部分を有する。言い換えれば、中空円筒形ベース要素は複数の部分に分割され、この部分はそれぞれ足モジュール１０の個々の構成部品である。さらに各足モジュール１０はフランジ部６０を有し、このフランジ部６０はやはり、風力発電設備の対応するパイロンセグメントをそれに固定するために貫通孔を備える。
【００３４】
図７は第２実施形態による単一の足モジュール１０の斜視図である。この足モジュール１０はやはり、ベース要素部２０ａと共に、足プレート１１およびサポート要素１２を有する。ベース要素２０ａには孔１５が設けられるが、この孔１５は足モジュール同士を互いに連結するために機能するものである。足モジュール１０同士の接合は、適当なネジ接合あるいは他の接合によって実現できる。さらにまたベース要素部には、対応するパイロンセグメントを固定するためのフランジ部６０が設けられる。
【００３５】
図８は図６または図７の足モジュール１０の平面図である。足モジュール１０あるいは足プレート１１の幅は、この例では、本質的に、設けられた足モジュール１０の数に依存する。ゆえに、用意された数の足モジュールの取付けによって、風力発電設備用の基礎セクション(これは既に一体化されている)を備えた完全な円形基礎がもたらされる。多くの足モジュール１０同士の間の接合状態を改善するため、横方向プレートをベース要素部２０ａの上に配置できる。図８はとりわけ、足要素における基礎セクションのベース要素の定着と共に、個々の足モジュール１０同士を連結するためのネジを示す(図８の左側部分)。
【００３６】
第１実施形態の基礎の例と同様、第２実施形態による基礎は、基礎または足モジュールを構築現場で組み立てる必要があるよう予め製造できる。
【００３７】
風力発電設備の構築のために、ローディングクレーンがたいてい既に現場に存在するので、このクレーンを、完成した基礎の要素を持ち上げ、掘削穴内へ降ろすのに利用できる。
【００３８】
本発明による完成した基礎について、ここまで陸上で使用される場合について説明してきたが、それはまた海上風力発電設備用の基礎に関しても使用可能であることが分かるであろう。
【００３９】
本出願において言及する限り、風力発電設備とは、特に、規定オーダーの規模、すなわちたとえば約３００ｋＷないし２ＭＷの範囲の、好ましくは６００ｋＷの公称出力を持ち、しかもこの点に関して約４５ないし８５ｍのハブ高(すなわちパイロン高)を持つ風力発電設備であることを意味する。本出願は、公知のパイロンすなわちハブ高および出力データを持つEnercon製のE40型あるいはE66型の風力発電設備を構築するのに特によく適している。
【図面の簡単な説明】
【００４０】
【図１】第１実施形態による基礎の斜視図である。
【図２ａ】図１の基礎の平面図である。
【図２ｂ】図１の基礎の側面図である。
【図２ｃ】図１の基礎の断面図である。
【図４ａ】基礎足の斜視図である。
【図４ｂ】基礎足の平面図である。
【図４ｃ】基礎足の正面図である。
【図４ｄ】基礎足の側面図である。
【図４ｅ】基礎足の背面図である。
【図５ａ】その輸送のために積み重ねられた図４ａに示す基礎足の平面図である。
【図５ｂ】その輸送のために積み重ねられた図４ａに示す基礎足の側面図である。
【図６】第２実施形態による基礎の斜視図である。
【図７】図６の基礎の要素の斜視図である。
【図８】図６の基礎の要素の平面図である。
【符号の説明】
【００４１】
１  基礎
１０  足モジュール
１１  足プレート
１２  サポート要素
１４,１５  貫通孔
２０  ベース要素
２１  孔
６０  フランジ部
１００  パレット
【図１】
2006526095.tif 000003
2006526095.tif 000004
2006526095.tif 000005
2006526095.tif 000006
【図６】
2006526095.tif 000007
【図７】
2006526095.tif 000008
【図８】
2006526095.tif 000009
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
風力発電設備用の基礎(１)であって、
基礎ベース要素(２０)と、
少なくとも二つの基礎足モジュール(１０)と、を具備してなり、前記基礎足モジュール(１０)は前記基礎ベース要素(２０)に固定されるよう構成されてなり、かつ
前記基礎ベース要素(２０)および少なくとも二つの前記基礎足モジュール(１０)はプレハブ要素を体現し、
前記基礎ベースモジュール(１０)のそれぞれは足プレート(１１)および足サポート要素(１２)を有し、これらはそれぞれ前記基礎ベース要素(２０)の対称軸線に関して放射状に配置されてなり、かつ
前記足サポート要素(１２)は前記足プレート(１１)に対して直交するよう配置されてなると共に、固定状態にある前記足プレート(１１)は前記基礎ベース要素(１０)の対称軸線に対して実質的に直交するよう配置されてなることを特徴とする基礎。
【請求項２】
基礎ベース要素(２０)と、
少なくとも二つの基礎足モジュール(１０)と、を具備してなり、
前記基礎足モジュール(１０)は前記基礎ベース要素(２０)に固定されるよう構成されてなり、かつ
前記基礎ベース要素(２０)および少なくとも二つの前記基礎足モジュール(１０)はプレハブ要素を体現することを特徴とする請求項１に記載の基礎。
【請求項３】
少なくとも二つの基礎足モジュール(１０)を具備してなり、
前記基礎足モジュール(１０)は互いに固定されるよう構成されてなると共にプレハブ要素を体現することを特徴とする請求項１に記載の基礎。
【請求項４】
前記基礎ベース要素(２０)は中空円筒形状のものであり、かつ前記基礎足モジュール(１０)は前記基礎ベース要素(２０)の対称軸線に関して放射状に配置されることを特徴とする請求項１または請求項２に記載の基礎。
【請求項５】
前記基礎ベースモジュール(１０)のそれぞれは足プレート(１１)および足サポート要素(１２)を有し、これらはそれぞれ前記基礎ベース要素(２０)の対称軸線に関して放射状に配置されてなり、かつ
前記足サポート要素(１２)は前記足プレート(１１)に対して直交するよう配置されてなると共に、固定状態にある前記足プレート(１１)は前記基礎ベース要素(１０)の対称軸線に対して実質的に直交するよう配置されてなることを特徴とする請求項４に記載の基礎。
【請求項６】
前記足サポート要素(１２)の高さ(１２ａ)は半径方向外側に向かって減少することを特徴とする請求項５に記載の基礎。
【請求項７】
前記足プレート(１１)の幅(１１ｃ)は半径方向外側に向かって増大することを特徴とする請求項５または請求項６に記載の基礎。
【請求項８】
前記足モジュール(１０)は、固定手段を受けるための半径方向に配置された貫通孔(１４,１５)を有し、かつ
前記足ベース要素(１０)は、前記足モジュール(１０)の前記貫通孔(１４,１５)に適合させられた貫通孔を有することを特徴とする請求項５ないし請求項７のいずれか１項に記載の基礎。
【請求項９】
前記足プレート(１１)および／または前記足サポート要素(１２)はさらに、輸送中、縛着ストラップを受けるのに適した貫通孔を有することを特徴とする請求項１ないし請求項８のいずれか１項に記載の基礎。
【請求項１０】
前記基礎ベース要素(２０)および少なくとも二つの前記基礎足モジュール(１０)は、鉄筋コンクリートからプレハブ製造されることを特徴とする請求項１ないし請求項９のいずれか１項に記載の基礎。
【請求項１１】
前記基礎足モジュール(１０)はベース要素部(２０ａ)を有し、このベース要素部(２０ａ)は、前記足プレート(１１)の一端部(１１ａ)に、前記足プレート(１１)に対して直交するよう配置されてなることを特徴とする請求項３に記載の基礎。
【請求項１２】
請求項１ないし請求項９のいずれか１項に記載の基礎を具備してなる風力発電設備。
【手続補正書】
【提出日】平成17年11月11日(2005.11.11)
【手続補正１】
【補正対象書類名】特許請求の範囲
【補正対象項目名】全文
【補正方法】変更
【補正の内容】
【特許請求の範囲】
【請求項１】
風力発電設備用の基礎(１)であって、
基礎ベース要素(２０)と、
少なくとも二つの基礎足モジュール(１０)と、を具備してなり、前記基礎足モジュール(１０)は前記基礎ベース要素(２０)に固定されるよう構成されてなり、かつ
前記基礎ベース要素(２０)および少なくとも二つの前記基礎足モジュール(１０)はプレハブ要素を体現し、
前記基礎ベースモジュール(１０)のそれぞれは足プレート(１１)および足サポート要素(１２)を有し、これらはそれぞれ前記基礎ベース要素(２０)の対称軸線に関して放射状に配置されてなり、かつ
前記足サポート要素(１２)は前記足プレート(１１)に対して直交するよう配置されてなると共に、固定状態にある前記足プレート(１１)は前記基礎ベース要素(１０)の対称軸線に対して実質的に直交するよう配置されてなることを特徴とする基礎。
【請求項２】
基礎ベース要素(２０)と、
少なくとも二つの基礎足モジュール(１０)と、を具備してなり、
前記基礎足モジュール(１０)は前記基礎ベース要素(２０)に固定されるよう構成されてなり、かつ
前記基礎ベース要素(２０)および少なくとも二つの前記基礎足モジュール(１０)はプレハブ要素を体現することを特徴とする請求項１に記載の基礎。
【請求項３】
少なくとも二つの基礎足モジュール(１０)を具備してなり、
前記基礎足モジュール(１０)は互いに固定されるよう構成されてなると共にプレハブ要素を体現することを特徴とする請求項１に記載の基礎。
【請求項４】
前記基礎ベース要素(２０)は中空円筒形状のものであり、かつ前記基礎足モジュール(１０)は前記基礎ベース要素(２０)の対称軸線に関して放射状に配置されることを特徴とする請求項１または請求項２に記載の基礎。
【請求項５】
前記基礎ベースモジュール(１０)のそれぞれは足プレート(１１)および足サポート要素(１２)を有し、これらはそれぞれ前記基礎ベース要素(２０)の対称軸線に関して放射状に配置されてなり、かつ
前記足サポート要素(１２)は前記足プレート(１１)に対して直交するよう配置されてなると共に、固定状態にある前記足プレート(１１)は前記基礎ベース要素(１０)の対称軸線に対して実質的に直交するよう配置されてなることを特徴とする請求項４に記載の基礎。
【請求項６】
前記足サポート要素(１２)の高さ(１２ａ)は半径方向外側に向かって減少することを特徴とする請求項５に記載の基礎。
【請求項７】
前記足プレート(１１)の幅(１１ｃ)は半径方向外側に向かって増大することを特徴とする請求項５または請求項６に記載の基礎。
【請求項８】
前記足モジュール(１０)は、固定手段を受けるための半径方向に配置された貫通孔(１４,１５)を有し、かつ
前記足ベース要素(１０)は、前記足モジュール(１０)の前記貫通孔(１４,１５)に適合させられた貫通孔を有することを特徴とする請求項５ないし請求項７のいずれか１項に記載の基礎。
【請求項９】
前記足プレート(１１)および／または前記足サポート要素(１２)はさらに、輸送中、縛着ストラップを受けるのに適した貫通孔を有することを特徴とする請求項１ないし請求項８のいずれか１項に記載の基礎。
【請求項１０】
前記基礎ベース要素(２０)および少なくとも二つの前記基礎足モジュール(１０)は、鉄筋コンクリートからプレハブ製造されることを特徴とする請求項１ないし請求項９のいずれか１項に記載の基礎。
【請求項１１】
前記基礎足モジュール(１０)はベース要素部(２０ａ)を有し、このベース要素部(２０ａ)は、前記足プレート(１１)の一端部(１１ａ)に、前記足プレート(１１)に対して直交するよう配置されてなることを特徴とする請求項３に記載の基礎。
【請求項１２】
複数のプレハブ基礎足モジュール(１０)を具備してなる、風力発電設備用の基礎(１)であって、
前記基礎足モジュールは、この基礎足モジュール(１０)を互いに接合するためのベース要素セグメント(２０ａ)と、足プレート(１１)と、足サポート要素(１２)とを有し、
前記サポート要素(１２)および前記ベース要素セグメント(２０ａ)はそれぞれ前記ベースプレート(１１)に対して直交するよう配置されてなり、かつ
前記ベース要素セグメント(２０ａ)は、風力発電設備のパイロンセグメントを定着させるためのフランジセグメント(６０)を有することを特徴とする基礎。
【請求項１３】
前記足サポート要素(１２)の高さ(１２ａ)は半径方向外側に向かって減少することを特徴とする請求項１２に記載の基礎。
【請求項１４】
前記足プレート(１１)の幅(１１ｃ)は半径方向外側に向かって増大することを特徴とする請求項１２または請求項１３に記載の基礎。
【請求項１５】
前記足プレート(１１)および／または前記足サポート要素(１２)は、輸送中、縛着ストラップを受けるのに適した貫通孔を有することを特徴とする請求項１２または請求項１３に記載の基礎。
【請求項１６】
請求項１ないし請求項１５のいずれか１項に記載の基礎を具備してなる風力発電設備。
【国際調査報告】
2006526095.tif 000010
2006526095.tif 000011
2006526095.tif 000012
2006526095.tif 000013
2006526095.tif 000014
2006526095.tif 000015